(57)【要約】【課題】吊り戸１０の安全性を高める。【解決手段】吊り戸１０の戸先側に搭載するデッドボルト１１と、デッドボルト１１に対応する長尺の係合部材２２とを設け、デッドボルト１１は、吊り戸１０の全開位置、全閉位置において、それぞれ係合部材２２の戸先側、戸尻側に係合させる。【選択図】図１
2010007239.tif 000002
【特許請求の範囲】
【請求項１】
吊り戸の戸先側に上下動可能に搭載する上向きのデッドボルトと、該デッドボルトに対応させて吊り戸用のハンガレールと平行に設置する長尺の係合部材とを備えてなり、前記デッドボルトは、吊り戸の全開位置、全閉位置において、それぞれ前記係合部材の戸尻側、戸先側に係合することを特徴とする吊り戸のロック装置。
【請求項２】
前記係合部材は、断面Ｚ形の板材としてハンガレールの下面にねじ止めすることを特徴とする請求項１記載の吊り戸のロック装置。
【請求項３】
ハンガレールと前記係合部材との間には、吊り戸の吊車に付設する外れ止めを進入させることを特徴とする請求項１または請求項２記載の吊り戸のロック装置。
【請求項４】
前記デッドボルトは、吊り戸に搭載する錠前用のサムターンを介して上下に駆動操作することを特徴とする請求項１ないし請求項３のいずれか記載の吊り戸のロック装置。
【発明の詳細な説明】
【技術分野】
【０００１】
この発明は、たとえば高齢者用の福祉施設などの建築物に好適に適用可能な吊り戸のロック装置に関する。
【背景技術】
【０００２】
建築物の開口部に設置する吊り戸は、たとえばハンガレールを戸先側に低く傾斜させることにより、吊り戸の自重によって自動的に閉鎖させることができる。しかし、そのような吊り戸であっても、必要に応じて全開状態または中間の途中開度に保持するために、ストッパ装置を設けることが少なくない。
【０００３】
従来のストッパ装置は、たとえば吊り戸側と建物の壁面側との一方に板ばね製の弾性ストッパを設置し、ローラを介して弾性ストッパに係合するストッパ受けを他方に設置することにより、両者が係合する位置において吊り戸を制動して保持させることができる（特許文献１〜３）。ストッパ受けは、吊り戸の開方向、閉方向のいずれの側からでも弾性ストッパに係合させることができ、吊り戸の開閉ストローク内の任意の位置に吊り戸の保持位置を設定することができる。
【特許文献１】特開２０００−１９２７０８号公報
【特許文献２】特開２００３−３７２１号公報
【特許文献３】特開２００３−２９３６４６号公報
【発明の開示】
【発明が解決しようとする課題】
【０００４】
かかる従来技術によるときは、ストッパ受けが弾性ストッパに係合することによる吊り戸の保持力は、保持中の吊り戸に大きな操作力を加えることにより両者の係合が解除され、吊り戸を開閉操作できる程度に設定する必要があるため、たとえば全開状態に保持されている吊り戸の把手に高齢者が不用意に体重をもたせかけると、吊り戸が移動し始めて思わぬ転倒事故が発生することがあるという問題があった。また、この問題を解決するために、たとえば周知のフランス落しや丸落しなどを使用するとすれば、床面に係合孔を設ける必要がある上、高齢者にとって必ずしも使い勝手がよくないという問題がある。
【０００５】
そこで、この発明の目的は、かかる従来技術の問題に鑑み、吊り戸に搭載するデッドボルトと、長尺の係合部材とを組み合わせることによって、全開時、全閉時の吊り戸を確実に固定して高い安全性を実現することができる吊り戸のロック装置を提供することにある。
【課題を解決するための手段】
【０００６】
かかる目的を達成するためのこの発明の構成は、吊り戸の戸先側に上下動可能に搭載する上向きのデッドボルトと、デッドボルトに対応させて吊り戸用のハンガレールと平行に設置する長尺の係合部材とを備えてなり、デッドボルトは、吊り戸の全開位置、全閉位置において、それぞれ係合部材の戸尻側、戸先側に係合することをその要旨とする。
【０００７】
なお、係合部材は、断面Ｚ形の板材としてハンガレールの下面にねじ止めすることができ、ハンガレールと係合部材との間には、吊り戸の吊車に付設する外れ止めを進入させることができる。
【０００８】
また、デッドボルトは、吊り戸に搭載する錠前用のサムターンを介して上下に駆動操作してもよい。
【発明の効果】
【０００９】
かかる発明の構成によるときは、吊り戸の戸先側に搭載するデッドボルトは、吊り戸の全開位置において、係合部材の戸尻側に係合して吊り戸を閉鎖不能にロックすることができ、吊り戸の全閉位置において、係合部材の戸先側に係合して吊り戸を開放不能にロックすることができる。すなわち、全開位置、全閉位置の吊り戸は、たとえば高齢者が不用意に把手に体重をもたせかけたとしても、開閉方向に移動するおそれがなく、極めて安全である。なお、係合部材は、たとえば吊り戸の開閉ストローク相当の長さを有する長尺材であり、したがって、デッドボルトは、吊り戸の全開位置、全閉位置以外の中間位置において係合部材に係合することがなく、吊り戸が中間位置の途中開度に誤ってロックされてしまうこともない。
【００１０】
係合部材は、断面Ｚ形の板材としてハンガレールの下面にねじ止めすることにより、格別な取付用のスペースや部材を必要とすることがない。また、このような係合部材とハンガレールとの間の隙間に外れ止めを進入させれば、既存の外れ止め付きの吊車を備える吊り戸であっても、係合部材を簡単に組み合わせることができる。ただし、このときの係合部材、外れ止めは、ハンガレールの下方において、上から下にハンガレール、外れ止め、係合部材の順に配置されるものとする。
【００１１】
デッドボルトは、吊り戸に搭載する錠前用のサムターンを介して駆動操作することにより、吊り戸の全閉時に吊り戸をロックする錠前の一部として作動させることができる。
【発明を実施するための最良の形態】
【００１２】
以下、図面を以って発明の実施の形態を説明する。
【００１３】
吊り戸のロック装置は、吊り戸１０に搭載するデッドボルト１１と、吊り戸１０用のハンガレール２１に付設する長尺の係合部材２２とを備えてなる（図１、図２）。
【００１４】
吊り戸１０は、戸先側、戸尻側の吊車１２、１２を介してハンガレール２１から前後に移動走行自在に吊下されている。なお、図１、図２には、戸先側の吊車１２のみが図示されている。吊車１２は、吊り戸１０の上端面にねじ止めするブラケット１２ａに縦回転形のローラ１２ｂを組み付け、ローラ１２ｂをハンガレール２１に係合させている。
【００１５】
吊車１２のブラケット１２ａには、吊車１２の外れ止め１２ｃがねじ止めされている。外れ止め１２ｃは、ハンガレール２１の下面に対して僅かな隙間ｄ1 を介して保持されており、ローラ１２ｂがハンガレール２１から外れることを防止する。ハンガレール２１は、建物の駆体Ｗに対し、取付材２３を介して固定されている。
【００１６】
デッドボルト１１は、吊り戸１０の戸先側に上下動可能に上向きに搭載されている。デッドボルト１１の上端は、吊り戸１０の上端面のガイドプレート１１ａを下から上に貫通しており、下端は、連結ロッド１１ｂを介して吊り戸１０の錠前１３に連結されている。そこで、デッドボルト１１は、錠前１３用のサムターン１３ａを介して上下に駆動操作することができる。
【００１７】
係合部材２２は、板材を断面Ｚ形に折曲げ加工して形成する長尺材であって、ハンガレール２１の下面にねじ止めされ、ハンガレール２１と平行に設置されている。係合部材２２の下側のフランジは、吊車１２に付設する外れ止め１２ｃの下にまで伸びており、したがって、外れ止め１２ｃは、ハンガレール２１と係合部材２２との間の隙間ｄ2 に進入している。なお、係合部材２２は、吊り戸１０の開閉ストローク相当の長さを有し、全長に亘って同一断面に形成されている。
【００１８】
吊り戸１０は、吊車１２、１２を介し、全開位置、全閉位置に開閉することができる。したがって、吊り戸１０上のデッドボルト１１は、吊り戸１０の全開位置において、係合部材２２の戸尻側の先端に係合し（図１、図３）、吊り戸１０の全閉位置において、係合部材２２の戸先側の先端に係合する（図４）。すなわち、吊り戸１０の全開位置において、デッドボルト１１は、サムターン１３ａを介して上昇操作することにより（図３）、係合部材２２の戸尻側の先端に係合して吊り戸１０を閉鎖不能にロックすることができる。また、サムターン１３ａを介してデッドボルト１１を下降操作することにより、デッドボルト１１は、係合部材２２との係合が外れ（図１）、吊り戸１０を閉鎖方向に移動可能に解放する（同図の矢印方向）。ただし、吊り戸１０は、全開位置において、図示しない建物の開口部を全開に開放する。
【００１９】
吊り戸１０の全閉位置において、デッドボルト１１は、全開位置におけると全く同様にして、サムターン１３ａを介して上下に駆動操作可能である（図４）。すなわち、デッドボルト１１は、それを上昇させることにより（同図の実線）、係合部材２２の戸先側の先端に係合して吊り戸１０を開放不能にロックすることができる。また、デッドボルト１１を下降させると（同図の二点鎖線）、吊り戸１０は、開放方向に移動可能に解放される（同図の矢印方向）。ただし、吊り戸１０は、全閉位置において、図示しない建物の開口部を全閉に閉じ、吊り戸１０の戸先側は、図示しない戸枠の戸先側の竪枠に当接する。
【００２０】
吊り戸１０が全開位置、全閉位置の途中開度のときは（図５）、サムターン１３ａを回そうとしても、デッドボルト１１は、上端が係合部材２２と干渉するため上昇不能であり、吊り戸１０をロックすることがない。
【００２１】
以上の説明において、係合部材２２は、ハンガレール２１と別体とするに代えて、ハンガレール２１と一体に形成してもよい。ただし、このときの係合部材２２は、ハンガレール２１の全長と同長であるから、吊り戸１０の全開位置、全閉位置においてそれぞれデッドボルト１１が係合し得る係合孔または係合凹部などを戸尻側、戸先側に下向きに形成すればよい。
【図面の簡単な説明】
【００２２】
【図１】動作説明要部正面図（１）
【図２】要部拡大縦断面模式図
【図３】動作説明要部正面図（２）
【図４】動作説明要部正面図（３）
【図５】動作説明要部正面図（４）
【符号の説明】
【００２３】
１０…吊り戸
１１…デッドボルト
１２…吊車
１２ｃ…外れ止め
１３…錠前
１３ａ…サムターン
２１…ハンガレール
２２…係合部材
特許出願人          小松ウオール工業株式会社
代理人  弁理士                松  田  忠  秋
【図１】
2010007239.tif 000003
【図２】
2010007239.tif 000004
【図３】
2010007239.tif 000005
【図４】
2010007239.tif 000006
【図５】
2010007239.tif 000007